(57)【要約】【課題】複数の遊技関連部材を配設した遊技盤の背面に、基板を収納した基板ケースを取り付けた遊技機において、遊技盤の背面側に配設された遊技関連部材に対する不正行為を防止する。【解決手段】複数の遊技関連部材を配設した遊技盤と、基板を収納するとともに該基板に対して外部からの不正な侵入を阻止し得る基板ケース４０とを備え、基板ケース４０を遊技盤の背面側に遊技関連部材を覆うように取り付ける。遊技盤（支持部材７０）の背面と基板ケース４０との間に、遊技関連部材（例えば大入賞口駆動ソレノイド等）に対して外部からの不正な侵入を阻止し得る遮蔽部材２２を設ける。【選択図】          図１
2004202127.tif 000002
【特許請求の範囲】
【請求項１】
複数の遊技関連部材を配設した遊技盤と、
基板を収納するとともに該基板に対して外部からの不正な侵入を阻止し得る基板ケースとを備え、
前記基板ケースを前記遊技盤の背面側に前記遊技関連部材を覆うように取り付けた遊技機において、
前記遊技盤の背面と前記基板ケースとの間に、前記遊技関連部材に対して外部からの不正な侵入を阻止し得る遮蔽部材を設けたことを特徴とする遊技機。
【請求項２】
前記基板ケースの上部側に位置する遮蔽部材の少なくとも一部に開放部を設けるとともに、
前記基板ケースの上方に配設された演出関連部材を前記開放部に近づけるように配設したことを特徴とする請求項１記載の遊技機。
【請求項３】
前記遮蔽部材は、前記基板ケースに設けられていることを特徴とする請求項１または２記載の遊技機。
【発明の詳細な説明】
【０００１】
【発明の属する技術分野】
本発明は、遊技機に関し、特に、複数の遊技関連部材を配設した遊技盤の背面側に制御基板を取り付けた遊技機に関する。
【０００２】
【従来の技術】
従来、パチンコ機等の遊技機では、複数の遊技関連部材を配設した遊技盤の背面側に、遊技関連部材の少なくとも一部を制御する制御基板が取り付けられている。
このような従来の遊技機において、遊技盤の背面側に配設された遊技関連部材のメンテナンスを容易に行うために、制御基板を収納した基板ケースを取り付ける基板ケースホルダを備え、該基板ケースホルダと遊技盤との間にヒンジ機構を設け、基板ケースホルダを回動可能に支持したものがある（例えば特許文献１参照）。
【０００３】
この遊技機は、通常の状態では、遊技盤側に基板ケースホルダを回動させてロックし、基板ケースホルダにより遊技盤の背面側を覆うようになっている。そして、遊技盤の背面側に配設された遊技関連部材のメンテナンスを行う場合には、ロックを解除して基板ケースホルダを回動し、遊技盤の裏面側を開放することができるようになっている。
【０００４】
【特許文献１】
特開２０００−７９２２９号公報（第２頁）
【０００５】
【発明が解決しようとする課題】
しかしながら、上述した従来の遊技機では、基板ケースホルダにより遊技盤の背面側を覆うことはできるが、基板ケースホルダと遊技盤との間に隙間が存在している。このため、この隙間から針金等を差し込んで、遊技関連部材に接触することが可能となり、遊技関連部材を誤動作させる不正行為が行われるおそれがあった。
【０００６】
本発明は、上述した事情に鑑み提案されたもので、複数の遊技関連部材を配設した遊技盤の背面に、基板を収納した基板ケースを取り付けた遊技機において、遊技盤の背面側に配設された遊技関連部材に対する不正行為を防止することを目的とする。
【０００７】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【０００８】
すなわち、本発明に係る遊技機（パチンコ機１）は、複数の遊技関連部材を配設した遊技盤（５０）と、
該基板（主制御基板１００）を収納するとともに該基板（主制御基板１００）に対して外部からの不正な侵入を阻止し得る基板ケース（４０）とを備え、
前記基板ケース（４０）を前記遊技盤（５０）の背面側に前記遊技関連部材を覆うように取り付けた遊技機（パチンコ機１）において、
前記遊技盤（５０）の背面と前記基板ケース（４０）との間に、前記遊技関連部材に対して外部からの不正な侵入を阻止し得る遮蔽部材（２２）を設けたことを特徴とするものである。
【０００９】
なお、基板ケース（４０）は、基板ケース（４０）を遊技盤（５０）の背面側に取り付けるための基板ケースホルダ（２０）を含んで構成される場合がある。
【００１０】
また、遊技関連部材とは、具体的には、例えば遊技盤（５０）の表面側に設けられた普通電動役物（６１）、大入賞口（６３）、あるいは遊技盤（５０）の裏面側に設けられた大入賞口駆動ソレノイド（３０）、左側入賞口スイッチ（７２ａ）、右側入賞口スイッチ（７２ｂ）等のことをいう。
【００１１】
また、遊技機（パチンコ機１）には、複数の基板（主制御基板１００，演出制御基板２００，電源基板２００，発射・払出制御基板４００）が取り付けられているが、ここでいう基板とは、それらを指し、基板ケース（４０）とは、それら基板を収納するケースのことをいう。
【００１２】
このような構成からなる遊技機（パチンコ機１）では、遮蔽部材（２２）により、基板ケース（４０）と遊技盤（５０）との隙間が遮蔽されるので、遊技盤（５０）に配設された遊技関連部材（大入賞口駆動ソレノイド３０等）に対して不正に接触することが極めて困難となり、遊技関連部材（大入賞口駆動ソレノイド３０等）を誤動作させる不正行為を確実に防止することができる。
【００１３】
また、本発明に係る遊技機（パチンコ機１）において、前記基板ケース（４０）の上部に位置する遮蔽部材（２２）の少なくとも一部に開放部（２３）を設けるとともに、
前記基板ケース（４０）の上方に配設された演出関連部材を前記開放部（２３）に近づけるように配設することが可能である。
【００１４】
なお、演出関連部材とは、具体的には、例えば図柄表示装置（５４）およびその制御を行う演出表示基板（２００）のことをいう。
【００１５】
このような構成からなる遊技機では、遊技盤（５０）に配設された遊技関連部材（大入賞口駆動ソレノイド３０等）から発生する熱が開放部（２３）を介して放出されるので、熱による基板（主制御基板１００）の誤動作を防止することができるとともに、基板（主制御基板１００）の電子部品および遊技関連部材（大入賞口駆動ソレノイド３０等）の寿命を延ばすことができる。
【００１６】
なお、開放部（２３）において、基板ケース（４０）と遊技盤（５０）との間に隙間が生じるが、開放部（２３）の上方に演出関連部材（画像表示装置５４および演出制御基板２００）を近づけるように設けているので、開放部（２３）から針金等を差し込んで不正行為を行うことは極めて困難となっている。
【００１７】
また、本発明に係る遊技機において、前記遮蔽部材（２２）は、前記基板ケース（４０）に設けることが可能である。
【００１８】
このような構成からなる遊技機（パチンコ機１）では、基板ケース（４０）を取り外すことにより、遊技関連部材（大入賞口駆動ソレノイド３０等）のメンテナンスを容易に行うことができる。さらに、基板ケース（４０）を遊技盤（５０）の背面側に取り付けるための基板ケースホルダ（２０）を備えるとともに、この基板ケースホルダ（２０）と遊技盤（５０）との間にヒンジ機構（２１）を設け、基板ケースホルダ（２０）を回動可能に支持することにより、さらにメンテナンス性を高めることができる。
【００１９】
【発明の実施の形態】
以下、図面を参照して、本発明に係る遊技機の実施形態を説明する。
なお、以下に示す実施形態では、代表的な遊技機であるパチンコ機を例にとって説明を行う。
【００２０】
＜パチンコ機の概略構成＞
図７、図８は、本発明の一実施形態に係るパチンコ機を示すもので、図７はパチンコ機の正面図、図８はパチンコ機の斜視図である。
本発明の一実施形態に係るパチンコ機１は、図７、図８に示すように、遊技機本体の一部として機能する外枠２と、この外枠２の上半部に開閉可能に取り付けられたフロントドア３を備えており、その下方には操作部４が設けられている。
【００２１】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行う発射ハンドル７が設けられ、下皿６の左側には灰皿８が設けられている。さらに、上皿５には、当該パチンコ機１における球貸操作等を行う操作パネル９が設けられている。
【００２２】
また、フロントドア３には、遊技部を前方側から覆うようにしてガラス板等からなる透明板１６が取り付けられており、フロントドア３の上部前面には遊技盤が取り付けられている。
さらに、フロントドア３には、遊技部の周囲前方に位置するようにして装飾枠１０が設けられており、装飾枠１０の上部には、左右一対のスピーカ装置１１が配設されている。
【００２３】
＜遊技機本体の背面側の構成＞
以下、図５および図６を参照して、パチンコ機１の背面側の構成を説明する。図５は、パチンコ機１の背面図、図６は、パチンコ機１を背面側から見た状態の斜視図である。
パチンコ機１の背面側には、図５，図６に示すように、その上部に、遊技球を貯留する球タンク１２が設けられており、球タンク１２から上皿５および下皿６へ至る遊技球流下路１３に遊技球を払い出す払出装置１４が設けられている。
【００２４】
また、遊技盤５０の背面側に位置するようにして、主制御基板１００および演出制御基板２００が取り付けられている。また、遊技盤５０の下側には、電源基板３００および発射・払出制御基板４００が取り付けられている。
【００２５】
主制御基板１００は、遊技に関する主たる制御を行う制御基板であり、演出制御基板２００、電源基板３００、および発射・払出制御基板４００は、主制御基板１００の制御下に置かれる。
【００２６】
演出制御基板２００は、後に詳述する画像表示装置５４における画像表示の制御を行う制御基板であり、画像表示装置５４の背面側に配設されている。
【００２７】
電源基板３００は、電源供給に関する基板であり、発射・払出制御基板４００は、遊技球の発射および賞球の払い出し等の制御を行う制御基板である。
【００２８】
＜基板ケース＞
上述したように、主制御基板１００はパチンコ機１における主たる制御を行う制御基板であり、特に外部からの不正アクセスを厳重に規制する必要がある。このため、主制御基板１００は、基板ケース内に収容されて封緘具等により封印されている。さらに、基板ケースは、基板ケースホルダを介して遊技盤の背面側に取り付けられている。
【００２９】
以下、図１〜図４を参照して、基板ケースおよび基板ケースホルダを詳細に説明する。
図１は、支持部材に取り付けた基板ケースホルダの側面図、図２は、支持部材に取り付けた基板ケースホルダを遊技機背面側から見た状態の正面図、図３は、基板ケースホルダの背面図、図４は、基板ケースホルダに設けた開放部を示す平面図である。
【００３０】
基板ケース４０は、図１に示すように、基板ケースホルダ２０に着脱可能に取り付けられている。さらに、基板ケースホルダ２０は、遊技盤５０の背面側に取り付けた支持部材７０に対してヒンジ機構２１を用いて回動可能に取り付けられている。そして、通常の状態では、支持部材７０側に基板ケースホルダ２０を回動させてロック機構２４ａ，２４ｂによりロックし、基板ケースホルダ２０により支持部材７０の背面側を覆うようになっている。また、支持部材７０の背面側に配設された遊技関連部材のメンテナンスを行う場合には、図１および図２に示すように、ロック機構２４ａ，２４ｂによるロックを解除して基板ケースホルダ２０を回動し、支持部材７０の背面側を開放することができる。
【００３１】
図１および図２に示すように、基板ケースホルダ２０を上方へ向かって回動すると、入賞球等流下路７１等を構成する支持部材７０の背面側が開放状態となる。この状態では、支持部材７０の背面側に配設された大入賞口駆動ソレノイド３０、左側入賞口スイッチ７２ａ、および右側入賞口スイッチ７２ｂ等を容易に交換、点検することができる。
なお、支持部材７０等については、後に図９を参照して詳細に説明する。
【００３２】
基板ケースホルダ２０の背面側には、図１〜図４に示すように、リブ状の遮蔽部材２２が設けられている。この遮蔽部材２２は、支持部材７０と基板ケースホルダ２０との隙間を遮蔽する部材で、基板ケースホルダ２０を支持部材７０側へ向かって回動すると、支持部材７０と基板ケースホルダ２０との隙間が遮蔽される。
【００３３】
また、遮蔽部材２２には、図３および図４に示すように、基板ケースホルダ２０を遊技機本体に取り付けた際に、上部側に位置する遮蔽部材２２の一部を途切れさせて、開放部２３が形成されている。この開放部２３により、遮蔽部材２２で囲まれた空間内に熱が籠もることを防止することができる。
【００３４】
すなわち、支持部材７０には大入賞口駆動ソレノイド３０等の発熱部材が配設されており、遮蔽部材２２に対して開放部２３が設けられていない場合には、遮蔽部材２２で囲まれた空間内に熱が籠もってしまい、この熱の影響で、主制御基板１００上に実装された電子部品が誤動作を起こしたり、大入賞口駆動ソレノイド３０、左側入賞口スイッチ７２ａ、および右側入賞口スイッチ７２ｂ等が劣化するおそれがある。
この点、遮蔽部材２２に開放部２３を設けることにより、上方へ向かう空気の流れが生じて、遮蔽部材２２で囲まれた空間の外へ熱を逃がすことができ、上述した不都合を解消することが可能となる。
【００３５】
なお、基板ケースホルダ２０を支持部材７０（遊技盤５０）側に回動させた状態では、図５および図６に示すように、図柄表示装置５４（図７参照）およびその背面側に取り付けられた演出制御基板２００に対して、基板ケース４０（基板ケースホルダ２０）が近接しているため、開放部２３から針金等を差し込んで不正行為を行うことはほぼ不可能である。
【００３６】
なお、本実施形態では、主制御基板１００を基板ケース４０に収納し、この基板ケース４０を基板ケースホルダ２０を介して支持部材７０に取り付けているが、支持部材７０に対して基板ケース４０を直接取り付けるように構成してもよい。この場合には、基板ケース４０の遊技機前面側（遊技盤５０側）に遮蔽部材２２および開放部２３を設けるように構成すればよい。
【００３７】
＜遊技盤＞
フロントドア３の上部前面に取り付けられた遊技盤は、図７に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するとともに演出画像を表示する画像表示装置５４と、普通図柄を変動表示する普通図柄表示部５５（画像表示装置５４において画像表示される）と、複数の入賞口と、いずれの入賞口にも入賞しなかった遊技球を遊技部５２内から排出するアウト口５６とが設けられている。
【００３８】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００３９】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させる始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００４０】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。また、画像表示装置５４の右側上部には、普通図柄始動口６０の通過記憶個数を表示する４個の普通図柄記憶ＬＥＤ６４が設けられている。この普通図柄記憶ＬＥＤ６４の点灯個数により、普通図柄始動口６０の通過記憶個数を表示することができる。
【００４１】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。
【００４２】
また、始動入賞口６２への入賞球は、４個まで記憶可能となっており、この入賞記憶に基づいて、画像表示装置５４における図柄の変動表示が行なわれる。画像表示装置５４の上方には、始動入賞口６２への入賞記憶個数を表示する４個の特別図柄記憶ＬＥＤ６５が設けられている。この特別図柄記憶ＬＥＤ６５の点灯個数により、始動入賞口６２への入賞記憶個数を表示することができる。
【００４３】
＜入賞球等の流下路＞
以下、入賞球等の流下路について説明する。図９は、主制御基板１００および演出制御基板２００を取り外した状態の遊技盤５０の背面図である。
遊技盤５０の背面側には、図９に示すように、各入賞口５９，６２，６３（図７参照）への入賞球等の流下路を形成するとともに、大入賞口６３を駆動するソレノイド等をカバーする支持部材７０が取り付けられている。
【００４４】
本実施形態に係るパチンコ機の支持部材７０に設けられた入賞球等流下路７１は、各入賞口５９，６２，６３へ入賞した遊技球とアウト口５６へ取り込まれた遊技球とを合流させて流下させる構造となっており、遊技盤５０の正面側から見て左側（図９において右側）に位置する一般入賞口５９，５９からの入賞球を流下させる左側入賞球流下路７１ａと、遊技盤５０正面側から見て右側に位置する一般入賞口５９，５９（図９において左側）からの入賞球を流下させる右側入賞球流下路７１ｂとを有しており、左側入賞球流下路７１ａおよび右側入賞球流下路７１ｂの下端部において両流下路が合流する。また、入賞球等流下路７１の合流部には、大入賞口６３への入賞球の流下口およびアウト口５６が連通接続されており、遊技盤５０面上を流下する全ての遊技球を合流させて、遊技盤５０の背面側へ導くようになっている。
【００４５】
また、左側入賞球流下路７１ａおよび右側入賞球流下路７１ｂの下端部付近には、それぞれ遊技球を検知する左側入賞口スイッチ７２ａおよび右側入賞口スイッチ７２ｂが設けられている。また、普通図柄始動口６０への連通路には第１種始動口スイッチ７３が設けられており、大入賞口６３への連通路にはカウントスイッチ７４およびＶカウントスイッチ７５が設けられている。また、始動入賞口６２には、ゲートスイッチ７６が設けられている。なお、始動入賞口６２は、いわゆる通過ゲートとなっているため、始動入賞口６２への入賞球は、入賞球等流下路７１へアウト口５６より取り込まれる。
【００４６】
さらに、左側入賞球流下路７１ａおよび右側入賞球流下路７１ｂには、各一般入賞口５９への入賞球を検知する入賞口スイッチ（図示せず）を取り付ける入賞口スイッチ取付部７７が設けられている。この入賞口スイッチ取付部７７に対して入賞口スイッチを取り付けることにより、パチンコ機の出荷検査時等において、各一般入賞口５９への入賞球を検知することができる。
【００４７】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行うことにより、遊技演出を行うことができるようになっている。
【００４８】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行うことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００４９】
＜普通図柄表示部＞
上記普通図柄表示部５５は、画像表示装置５４内に画像として表示されるようになっている。この普通図柄表示部５５では、例えば２個の普通図柄が交互に点滅するようになっており、２個の普通図柄の点滅が終了して「当たり」が表示された場合に、始動入賞口６２に設けられた普通電動役物６１を、所定時間だけ遊技球を受け入れ易い状態に切り換えて、始動入賞口６２に遊技球を入賞させ易くする。
【００５０】
なお、普通図柄表示部５５は、上述した構成の他に、２個の普通図柄表示ＬＥＤを備えて構成することができ、また、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００５１】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００５２】
また、普通図柄始動口６０を遊技球が通過したことを条件として、普通図柄表示部５５における普通図柄の変動表示を開始させる。そして、乱数を用いた抽選により、普通図柄表示部５５における普通図柄の停止表示態様を決定し、この決定に基づいて普通図柄の変動表示を停止させる。
【００５３】
ここで、普通図柄表示部５５における普通図柄の停止表示態様が、「当たり」となると、始動入賞口６２に設けられた普通電動役物６１を所定時間（例えば、０．３秒間）だけ遊技球を受け入れ易い状態に切り換える。
【００５４】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００５５】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口（図示せず）が設けられており、大入賞口６３内に入賞した遊技球が継続入賞口にも入賞すると、上述した大入賞口６３の開放が、所定回数（例えば１６回）に達するまで繰り返される。
【００５６】
＜他の実施形態＞
なお、上述した実施形態ではパチンコ機を例にとって説明を行ったが、本発明に係る遊技機はパチンコ機に限られるものではなく、複数の遊技関連部材を配設した遊技盤と、基板を収納するとともに該基板に対して外部からの不正な侵入を阻止し得る基板ケースとを備え、基板ケースを遊技盤の背面側に遊技関連部材を覆うように取り付けた遊技機であればどのような遊技機にも適用することができ、例えばアレンジボール遊技機等にも適用することができる。
【００５７】
【発明の効果】
以上説明したように、本発明に係る遊技機では、複数の遊技関連部材を配設した遊技盤の背面側に該遊技関連部材を覆うように、基板を収納するとともに該基板に対して外部からの不正な侵入を阻止し得る基板ケースを取り付け、遊技盤の背面と基板ケースとの間に、遊技関連部材に対して外部からの不正な侵入を阻止し得る遮蔽部材を設けている。
【００５８】
したがって、遮蔽部材により、基板ケースと遊技盤の隙間が遮蔽されるので、例えば、基板ケースと遊技盤の間に針金等を挿入することによって遊技関連部材を誤動作させる等の不正行為を確実に防止することができる。
【図面の簡単な説明】
【図１】本発明の実施形態に係るパチンコ機において、支持部材に取り付けた基板ケースホルダの側面図
【図２】本発明の実施形態に係るパチンコ機において、支持部材に取り付けた基板ケースホルダを遊技機背面側から見た状態の正面図
【図３】本発明の実施形態に係るパチンコ機に用いる基板ケースホルダの背面図
【図４】本発明の実施形態に係るパチンコ機に用いる基板ケースホルダに設けた開放部を示す平面図
【図５】本発明の実施形態に係るパチンコ機の背面図
【図６】本発明の実施形態に係るパチンコ機を背面側から見た状態の斜視図
【図７】本発明の実施形態に係るパチンコ機の正面図
【図８】本発明の実施形態に係るパチンコ機の斜視図
【図９】本発明の実施形態に係るパチンコ機において、主制御基板および演出制御基板を取り外した状態の遊技盤の背面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
１２  球タンク
１３  遊技球流下路
１４  払出装置
１５ａ，ｂ  中継コネクタ
１６  透明板
２０  基板ケースホルダ
２１  ヒンジ機構
２２  遮蔽部材
２３  開放部
２４ａ，ｂ  ロック機構
３０  大入賞口駆動ソレノイド
４０  基板ケース
５０  遊技盤
５１  ガイドレール
５２  遊技部
５３  障害部材
５４  画像表示装置
５５  普通図柄表示部
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
７０  支持部材
７１  入賞球等流下路
７１ａ  左側入賞球流下路
７１ｂ  右側入賞球流下路
７２ａ  左側入賞口スイッチ
７２ｂ  右側入賞口スイッチ
７３  第１種始動口スイッチ
７４  カウントスイッチ
７５  Ｖカウントスイッチ
７６  ゲートスイッチ
７７  入賞口スイッチ取付部
１００  主制御基板
２００  演出制御基板
３００  電源基板
４００  発射・払出制御基板
【図１】
2004202127.tif 000003
【図２】
2004202127.tif 000004
【図３】
2004202127.tif 000005
【図４】
2004202127.tif 000006
【図５】
2004202127.tif 000007
【図６】
2004202127.tif 000008
【図７】
2004202127.tif 000009
【図８】
2004202127.tif 000010
【図９】
2004202127.tif 000011